【手続補正書】
【提出日】令和1年5月15日(2019.5.15)
【手続補正１】
【補正対象書類名】特許請求の範囲
【補正対象項目名】全文
【補正方法】変更
【補正の内容】
【特許請求の範囲】
【請求項１】
車両に搭載され、情報を表示する車両用表示装置であって、
可視光の上界の波長の光を含む近赤外光を視認側に照射する近赤外光照射部（１１８０）と、
前記可視光の上界の波長の光を擬装する擬装部（１１０３）と、を備え、
前記擬装部は、前記情報を可視表示光の発光により表示する発光表示部（１１０２）を有し、
前記発光表示部は、前記近赤外光照射部が照射した前記可視光の上界の波長の光を含む近赤外光が混合された状態で、前記可視表示光を発光し、
前記発光表示部は、
画像を発光表示する画像表示器（１１１０）と、
前記画像表示器よりも視認側に配置された透光性カバー部（１１１３）と、
前記画像表示器の表示画面と前記透光性カバー部との隙間を埋めるオプティカルボンディング部（１１１５）と、を備え、
前記近赤外光照射部は、前記オプティカルボンディング部に前記可視光の上界の波長の光を含む近赤外光を供給する車両用表示装置。
【請求項２】
前記発光表示部は、前記可視表示光としての赤系色光を発光する赤系色表示領域（ＤＡｒ）を有し、前記赤系色表示領域から、前記近赤外光照射部が照射した前記可視光の上界の波長の光を含む近赤外光が混合された状態で、前記赤系色光を発光する請求項１に記載の車両用表示装置。
【請求項３】
前記発光表示部は、前記可視表示光としての黄緑色波長光を発光する黄緑色表示領域（ＤＡｇ）を有し、前記黄緑色表示領域から、前記近赤外光照射部が照射した前記可視光の上界の波長の光を含む近赤外光が混合された状態で、前記黄緑色波長光を発光する請求項１又は２に記載の車両用表示装置。
【請求項４】
前記発光表示部は、前記可視表示光としての白色光を発光する白色表示領域（ＤＡｗ）を有し、前記白色表示領域から、前記近赤外光照射部が照射した前記可視光の上界の波長の光を含む近赤外光が混合された状態で、前記可視光の上界の波長の光よりも多い光量の前記白色光を発光する請求項１から３のいずれか１項に記載の車両用表示装置。
【請求項５】
車両に搭載され、情報を表示する車両用表示装置であって、
可視光の上界の波長の光を含む近赤外光を視認側に照射する近赤外光照射部（５８０）と、
前記可視光の上界の波長の光を擬装する擬装部（５０３）と、を備え、
前記擬装部は、視認側から入射する外光を再び視認側に反射すると共に、反視認側からの光を透過可能に形成された外光反射部（５５０）を有し、
前記外光反射部は、前記近赤外光照射部よりも視認側に配置され、前記近赤外光照射部が照射した前記可視光の上界の波長の光を含む近赤外光を透過させることにより、前記可視光の上界の光を含む近赤外光を混合させた状態で前記外光を視認側に反射する車両用表示装置。
【請求項６】
車両に搭載され、情報を表示する車両用表示装置であって、
可視光の上界の波長の光を含む近赤外光を視認側に照射する近赤外光照射部（６８０）と、
前記可視光の上界の波長の光を擬装する擬装部（６０３）と、を備え、
前記擬装部は、視認側から入射する外光を再び視認側に反射する外光反射部（６５０）を有し、
前記外光反射部は、前記近赤外光照射部に隣接して配置されている車両用表示装置。
【請求項７】
車両に搭載され、情報を表示する車両用表示装置であって、
可視光の上界の波長の光を含む近赤外光を視認側に照射する近赤外光照射部（７８０）と、
前記可視光の上界の波長の光を擬装する擬装部（７０３）と、を備え、
前記擬装部は、前記情報の表示を加飾する赤系色に形成された赤系色加飾部（７５０）を有し、
前記赤系色加飾部は、前記近赤外光照射部に隣接して配置されている車両用表示装置。
【請求項８】
車両に搭載され、情報を表示する車両用表示装置であって、
可視光の上界の波長の光を含む近赤外光を視認側に照射する近赤外光照射部（３８０，４８０）と、
前記可視光の上界の波長の光を擬装する擬装部（３０３，４０３）と、を備え、
前記擬装部は、前記情報を可視表示光の発光により表示領域（ＤＡｒ，ＤＡｇ，ＤＡｗ）にて表示する発光表示部（３０２，４０２）を有し、
前記近赤外光照射部は、前記可視光の上界を光を含む前記近赤外光を視認側に透過させる近赤外光透過領域（ＴＡｉｒ）を有し、
前記表示領域は、前記近赤外光透過領域に隣接して配置されている車両用表示装置。
【請求項９】
前記発光表示部は、前記表示領域として、前記可視表示光としての赤系色光を発光する赤系色表示領域（ＤＡｒ）を有し、前記赤系色表示領域を、前記近赤外光照射部に隣接させて配置されている請求項８に記載の車両用表示装置。
【請求項１０】
前記発光表示部は、前記表示領域として、前記可視表示光としての黄緑色波長光を発光する黄緑色表示領域（ＤＡｇ）を有し、前記黄緑色表示領域を、前記近赤外光照射部に隣接させて配置されている請求項８又は９に記載の車両用表示装置。
【請求項１１】
前記発光表示部は、前記表示領域として、前記可視表示光としての白色光を発光する白色表示領域（ＤＡｗ）を有し、前記白色表示領域を、前記近赤外光照射部に隣接させて配置されている請求項８から１０のいずれか１項に記載の車両用表示装置。
【請求項１２】
車両に搭載され、情報を表示する車両用表示装置であって、
可視光の上界の波長の光を含む近赤外光を視認側に照射する近赤外光照射部（８８０）と、
前記可視光の上界の波長の光を擬装する擬装部（８０３）と、を備え、
前記擬装部は、可視加飾光を発光することにより、前記情報の表示を加飾する発光加飾部（８０２）を有し、
前記発光加飾部は、前記可視加飾光に色収差を生じさせる複数の屈折面が設けられた凹凸透過構造体を有し、前記近赤外光照射部が照射した前記可視光の上界の波長の光を含む近赤外光が混合された状態で、前記色収差が生じた前記可視加飾光を発光する車両用表示装置。
【請求項１３】
前記近赤外光照射部により照明された撮像対象を、撮像する撮像部（６０）を、さらに備える請求項１から１２のいずれか１項に記載の車両用表示装置。
【手続補正２】
【補正対象書類名】明細書
【補正対象項目名】発明の名称
【補正方法】変更
【補正の内容】
【発明の名称】車両用表示装置
【手続補正３】
【補正対象書類名】明細書
【補正対象項目名】０００１
【補正方法】変更
【補正の内容】
【０００１】
本開示は、車両用表示装置に関する。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
ここに開示された態様のひとつは、車両に搭載され、情報を表示する車両用表示装置であって、
可視光の上界の波長の光を含む近赤外光を視認側に照射する近赤外光照射部（１１８０）と、
可視光の上界の波長の光を擬装する擬装部（１１０３）と、を備え、
擬装部は、情報を可視表示光の発光により表示する発光表示部（１１０２）を有し、
発光表示部は、近赤外光照射部が照射した可視光の上界の波長の光を含む近赤外光が混合された状態で、可視表示光を発光し、
発光表示部は、
画像を発光表示する画像表示器（１１１０）と、
画像表示器よりも視認側に配置された透光性カバー部（１１１３）と、
画像表示器の表示画面と透光性カバー部との隙間を埋めるオプティカルボンディング部（１１１５）と、を備え、
近赤外光照射部は、オプティカルボンディング部に可視光の上界の波長の光を含む近赤外光を供給する。
また、ここに開示された態様の他のひとつは、車両に搭載され、情報を表示する車両用表示装置であって、
可視光の上界の波長の光を含む近赤外光を視認側に照射する近赤外光照射部（５８０）と、
可視光の上界の波長の光を擬装する擬装部（５０３）と、を備え、
擬装部は、視認側から入射する外光を再び視認側に反射すると共に、反視認側からの光を透過可能に形成された外光反射部（５５０）を有し、
外光反射部は、近赤外光照射部よりも視認側に配置され、近赤外光照射部が照射した可視光の上界の波長の光を含む近赤外光を透過させることにより、可視光の上界の光を含む近赤外光を混合させた状態で前記外光を視認側に反射する。
また、ここに開示された態様の他のひとつは、車両に搭載され、情報を表示する車両用表示装置であって、
可視光の上界の波長の光を含む近赤外光を視認側に照射する近赤外光照射部（６８０）と、
可視光の上界の波長の光を擬装する擬装部（６０３）と、を備え、
擬装部は、視認側から入射する外光を再び視認側に反射する外光反射部（６５０）を有し、
外光反射部は、近赤外光照射部に隣接して配置されている。
また、ここに開示された態様の他のひとつは、車両に搭載され、情報を表示する車両用表示装置であって、
可視光の上界の波長の光を含む近赤外光を視認側に照射する近赤外光照射部（７８０）と、
可視光の上界の波長の光を擬装する擬装部（７０３）と、を備え、
擬装部は、情報の表示を加飾する赤系色に形成された赤系色加飾部（７５０）を有し、
赤系色加飾部は、近赤外光照射部に隣接して配置されている。
また、ここに開示された態様の他のひとつは、車両に搭載され、情報を表示する車両用表示装置であって、
可視光の上界の波長の光を含む近赤外光を視認側に照射する近赤外光照射部（３８０，４８０）と、
可視光の上界の波長の光を擬装する擬装部（３０３，４０３）と、を備え、
擬装部は、情報を可視表示光の発光により表示領域（ＤＡｒ，ＤＡｇ，ＤＡｗ）にて表示する発光表示部（３０２，４０２）を有し、
近赤外光照射部は、可視光の上界を光を含む近赤外光を視認側に透過させる近赤外光透過領域（ＴＡｉｒ）を有し、
表示領域は、近赤外光透過領域に隣接して配置されている。
また、ここに開示された態様の他のひとつは、車両に搭載され、情報を表示する車両用表示装置であって、
可視光の上界の波長の光を含む近赤外光を視認側に照射する近赤外光照射部（８８０）と、
可視光の上界の波長の光を擬装する擬装部（８０３）と、を備え、
擬装部は、可視加飾光を発光することにより、情報の表示を加飾する発光加飾部（８０２）を有し、
発光加飾部は、可視加飾光に色収差を生じさせる複数の屈折面が設けられた凹凸透過構造体を有し、近赤外光照射部が照射した可視光の上界の波長の光を含む近赤外光が混合された状態で、色収差が生じた可視加飾光を発光する。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】